(57)【要約】築壁内に組み込まれたランプを実現するための組立体であって、ランプ本体を収容するのに適したランプ座部（３２）を画定するランプハウジング（３０）と、型枠（１００）内にセメントを流し込んだ後、築壁の外面上に開口する発光空洞（２）を実現するように、ランプハウジング（３０）および流し込みが行われる型枠（１００）の内側に取り外し可能に固定されるのに適したモールド（５０）とを備える。モールド（５０）は、セメントを流し込む前および流し込む間にランプハウジング（３０）を強固に支持するのに適しており、モールド（５０）を型枠（１００）の内側に取り外し可能に固定するのに適したモールド締結手段（５６，５８）が設けられている。【選択図】図４
2019503029.tif 000002
【特許請求の範囲】
【請求項１】
築壁内に組み込まれたランプを実現するための組立体であって、
ランプ本体を収容するのに適したランプ座部（３２）を画定するランプハウジング（３０）であって、前記築壁内に組み込まれるのに適し、前記ランプ本体によって生成された光線の放射窓（３４）を画定するランプハウジング（３０）と、
前記放射窓（３４）を画定する側で前記ランプハウジング（３０）に取り外し可能に固定されるのに適し、型枠（１００）の内側に接触して配置されるのに適した前縁部（５４）によって画定された前開口部（５２）を有するモールド（５０）であって、前記型枠内にセメントを流し込んだ後、前記放射窓（３４）から延在し、かつ前記築壁の外面上に開口する発光空洞（２）を実現し、前記セメントを流し込む前および流し込む間に前記ランプハウジングを強固に支持するのに適し、前記型枠の内側に前記モールドを取り外し可能に固定するのに適したモールド固定手段が設けられているモールドと
を備える組立体。
【請求項２】
前記ランプハウジング（３０）および前記モールド（５０）が、前記築壁を正面から見ると前記放射窓（３４）が視界から少なくとも部分的に隠れるように構成される、請求項１に記載の組立体。
【請求項３】
前記モールド（５０）が、前記モールドの前記前開口部（５２）を通してアクセス可能なモールド締結ねじ（５６）によって前記ランプハウジングに接続可能である、請求項１または請求項２に記載の組立体。
【請求項４】
前記モールド締結手段は、一端が前記モールドに固定され、かつ前記型枠の厚みを横切り反対側の端部で前記型枠の外側に作用するナット（５９）によって係合されるのに適したねじ付きタイロッド（５８）を備える、請求項１〜請求項３のいずれか一項に記載の組立体。
【請求項５】
少なくとも１つの照明源を備えるランプ本体（１０）を備える、請求項１〜請求項４のいずれか一項に記載の組立体。
【請求項６】
前記ランプ本体（１０）、前記放射窓（３４）、および前記モールド（５０）は、前記発光空洞（３４）および前記放射窓（５２）を通って前記ランプ座部（３２）に前記ランプ本体を挿入できるように大きさが決められている、請求項５に記載の組立体。
【請求項７】
前記モールド（５０）が、前記ランプハウジング（３０）が載置される水平面（５０´）、すなわち前記型枠（１００）に対して垂直である面を規定する、請求項１〜請求項６のいずれか一項に記載の組立体。
【請求項８】
前記モールド（５０）が、前記水平面（５０´）の後縁部を前縁部（５４）の下側に接続する傾斜壁（５５）によって後方および下方に画定される、請求項７に記載の組立体。
【請求項９】
ランプハウジング（３０）が、型枠（１００）に対する前記傾斜壁（５５）の傾斜と実質的に等しい傾斜で、前記モールド（５０）の前記水平面（５０´）から後側に延在する、請求項８に記載の組立体。
【請求項１０】
前記モールド（５０）の前記水平面（５０´）から、前記ランプハウジング（３０）のランプ座部（３２）内に形状連結によって少なくとも部分的に挿入されるのに適したガイド突起部（５１）が延在する、請求項７〜請求項９のいずれか一項に記載の組立体。
【請求項１１】
前記ランプ本体が、前記照明源の電気回路および／または制御電子機器と、電力ケーブルおよび／または制御ケーブルへの電気接続のための電気コネクタとをさらに備える、請求項５または請求項６に記載の組立体。
【請求項１２】
前記ランプハウジングは、その外面に、例えばバブル装置などの傾斜検出装置（７０）用の水平支持面（３８）が形成される、請求項１〜請求項１１のいずれか一項に記載の組立体。
【請求項１３】
前記モールド（５０）が、押出プロセスによって得られる、例えばアルミニウム製またはプラスチック製のモールド本体と、前記モールド本体の開口側端部を閉鎖する一対の側部プラグ（５０´´）とを備える、請求項１〜請求項１２のいずれか一項に記載の組立体。
【請求項１４】
前記ランプハウジング（３０）が、押出プロセスによって得られる、例えばアルミニウム製またはプラスチック製のハウジング本体と、前記ハウジング本体の開口側端部を閉鎖する一対の側部プラグ（３０´´）とを備える、請求項１〜請求項１３のいずれか一項に記載の組立体。
【請求項１５】
前記モールド（５０）の前記前縁部（５４）には、前記モールド（５０）が前記型枠（１００）の内側に対して牽引されて配置されるときに前記型枠（１００）の内側を切り欠くのに適した型枠外周切開歯（５４´）が設けられている、請求項７〜請求項１４のいずれか一項に記載の組立体。
【請求項１６】
前記モールドの前記上部水平面（５０´）に載置するのに適した前記ランプハウジング（３０）の下縁部には、前記ランプハウジング（３０）が前記モールド（５０）に対して牽引されて配置されるときにその上面（５０´）を切り欠くのに適した型枠外周切開歯（３０１）が設けられている、請求項７〜請求項１５のいずれか一項に記載の組立体。
【請求項１７】
請求項１から１６のいずれか一項に記載の組立体を使用して築壁内にランプを組み込む方法であって、
ａ）ランプハウジング（３０）にモールド（５０）を接続するステップと、
ｂ）型枠（１００）にセメントを流し込む前に、前記型枠の内側に前記モールド（５０）を固定するステップと、
ｃ）前記セメントを流し込むステップと、
ｄ）前記セメントが硬化した後、前記型枠を取り外すステップと、
ｅ）前記ランプハウジング（３０）から前記モールド（５０）を切り離し、前記モールドを取り外すステップと
を含む方法。
【請求項１８】
前記ステップｅ）が実行された後、前記ランプハウジング内のそれぞれの座部にランプ本体（１０）を固定するステップｆ）を含む、請求項１７に記載の方法。
【請求項１９】
前記ステップｂ）が、
ｂ１）前記型枠に貫通孔（５８´）を穿孔するステップと、
ｂ２）前記貫通孔を通して、前記モールドに固定されたねじ付きタイロッド（５８）を通過させるステップと、
ｂ３）前記型枠の外側から突出している前記各ねじ付きタイロッドの端部にナット（５９）をねじ込むステップと
を含む、請求項１７または請求項１８に記載の方法。
【請求項２０】
前記ステップｂ１）の前に、前記貫通孔（５８´）の位置の表示を有するテンプレート（８０）を前記型枠の外側に固定するステップを含む、請求項１９に記載の方法。
【請求項２１】
築壁内に組み込まれたランプを実現するためのモールド（５００）であって、
型枠（１）の内側と接触して配置されるのに適した前縁部（５４０）で終端する前部（５０２）であって、前記前縁部が前面発光開口部（５２０）を画定している前部（５０２）と、
前記前部から延在すると共に、ランプ本体（１０）を収容するのに適した前記築壁内のランプ座部（５３２）を実現するのに適した後部（５０４）と、
前記モールドを前記型枠の内側に取り外し可能に固定するのに適したモールド締結手段（５８０，５９０）と
を備えるモールド（５００）。
【請求項２２】
前記前部が、前記型枠内にセメントが流し込まれた後、前記ランプ座部から延在し、かつ前記築壁の外面上に開口する発光空洞（５２２）を形成する、請求項２１に記載のモールド。
【請求項２３】
前記後部が、前記ランプ本体が前記ランプ座部内に挿入されるとき、前記築壁を正面から見ると前記ランプ本体が視界から少なくとも部分的に隠れるように、前記前部から延出する、請求項２１または請求項２２に記載のモールド。
【請求項２４】
前記モールド締結手段が、一端が前記モールドに固定され、かつ前記型枠の厚みを横切り反対側の端部で前記型枠の外側に作用するナット（５９０）によって係合されるのに適したねじ付きタイロッド（５８０）を備える、請求項２１〜請求項２３のいずれか一項に記載のモールド。
【請求項２５】
前記後部が、前記築壁内において、前記ランプ本体の係留手段（５５０）を実現するのに適している、請求項２１〜請求項２４のいずれか一項に記載のモールド。
【請求項２６】
前記係留手段が、ねじ付き係留タイロッドを受けるのに適したねじ付き座部を備える、請求項２５に記載のモールド。
【請求項２７】
前記係留手段が、前記ランプ本体とのスナップ連結を実現するのに適している、請求項２５または請求項２６に記載のモールド。
【請求項２８】
押出プロセスによって得られる、例えばアルミニウム製またはプラスチック製のモールド本体と、前記モールド本体の開口側端部を閉鎖する一対の側部プラグとを備える、請求項２１〜請求項２７のいずれか一項に記載のモールド。
【請求項２９】
請求項２１〜請求項２８のいずれか一項に記載のモールドと、少なくとも１つの照明源を備えるランプ本体（１０）とを備えるランプ組立体。
【請求項３０】
前記ランプ本体が、前記光源、電気コネクタ、および電源（１３）の電気回路および／または制御電子機器を備える、請求項２９に記載の組立体。
【請求項３１】
請求項２１〜請求項２８のいずれか一項に記載のモールドを使用して築壁内にランプを組み込む方法であって、
ａ）型枠（１）にセメントを流し込む前に、前記型枠の内側に前記モールド（５００）を固定するステップと、
ｂ）前記セメントを流し込むステップと、
ｃ）前記セメントが硬化した後、前記型枠を取り外すステップと、
ｄ）前記モールドを取り外すステップと
を含む方法。
【請求項３２】
前記ステップｂ）の前に、前記モールドがコルゲート電気ケーブルの搬送ダクトに接続される、請求項３１に記載の方法。
【請求項３３】
前記ステップｄ）の後に、ランプ本体（１０）をそれぞれのランプ座部に固定するステップｅ）が行われる、請求項３１または請求項３２に記載の方法。
【請求項３４】
請求項３１〜請求項３３のいずれか一項に記載の方法であって、前記ステップａ）が、
ａ１）前記型枠に貫通孔を穿孔するステップと、
ａ２）前記貫通孔を通して、前記モールドに一体化されたねじ付きタイロッド（５８０）を通過させるステップと、
ａ３）前記型枠の外側から突出している前記各ねじ付きタイロッドの端部にナット（５９０）をねじ込むステップと
を含む方法。
【請求項３５】
前記ステップａ１）の前に、前記貫通孔の位置の表示を有するテンプレート（８０）を前記型枠の外側に固定するステップを含む、請求項３４に記載の方法。
【発明の詳細な説明】
【技術分野】
【０００１】
本発明は築壁、特に補強セメント壁に組み込まれたランプを実現するための組立体および方法に関する。
【０００２】
実施形態は、既知のビルトインランプであり、すなわち、築壁（石造壁、石積み壁）に形成された座部に配置された照明源を収容するハウジングを有するか、または石膏ボードパネルで形成された空洞の内側に延在する。
【背景技術】
【０００３】
築壁の場合には、通常、壁に隙間を形成し、ランプを位置決めした後、光線の放射開口部を画定するランプの縁部に壁の可視表面がつながるように注意しながら壁を復元する。
【０００４】
ランプ周辺の壁の復元に最大の注意を払っても、注意深く見れば元の壁とランプ周辺の再建された部分との差に必ず気づくであろう。
【０００５】
時には、再建された壁とランプとの間の接続領域を隠すために、光線の放射開口部の周りに大きなフレームが使用される。
【０００６】
いずれにしても、補強セメント壁の内部にランプを組み込む方法はまだ提案されていない。
【発明の概要】
【発明が解決しようとする課題】
【０００７】
本発明の１つの目的は、補強セメントの耐力壁であっても上述した限界および欠点を取り除くことができる、築壁内部のランプを実現するための組立体および方法を提案することである。
【０００８】
本発明の別の目的は、専門家以外の作業者、例えば煉瓦工自身が、素早く安全に、かつ非常に正確に築壁内にランプを組み込むことも可能にする組立体および方法を提案することである。
【課題を解決するための手段】
【０００９】
これらの目的は、請求項１および請求項２９に記載の組立体と、請求項１７および請求項３１に記載の方法とによって達成される。従属請求項には本発明の好ましい実施形態を記載する。
【００１０】
本発明による組立体および方法の特徴および利点は、いずれの場合でも、添付の図面を参照して、非限定的な例として提供されるその好ましい実施形態の以下の説明から明らかになるであろう。
【図面の簡単な説明】
【００１１】
【図１】第１の実施形態において、ランプハウジングとモールドとを備える、本発明による組立体の別個の部分の斜視図である。
【図２】組み立てられた図１の組立体の図を示す。
【図２ａ】組み立てられた図１の組立体の図を示す。
【図２ｂ】組み立てられた図１の組立体の図を示す。
【図２ｃ】組み立てられた図１の組立体の図を示す。
【図３】図１の組立体のランプハウジングに収容するのに適したランプ本体の一例の斜視図である。
【図４】図１の組立体を用いる本発明によるランプ設置方法の一ステップを概略的に示す。
【図４ａ】図１の組立体を用いる本発明によるランプ設置方法の一ステップを概略的に示す。
【図４ｂ】図１の組立体を用いる本発明によるランプ設置方法の一ステップを概略的に示す。
【図４ｃ】図１の組立体を用いる本発明によるランプ設置方法の一ステップを概略的に示す。
【図５】実施形態の変形例の型枠に接続された本発明による組立体の一部を断面で示す。
【図５ａ】図５の詳細Ｙの拡大図である。
【図６】壁にビルトインされたランプの可視部分の底面斜視図を示す。
【図６ａ】壁にビルトインされたランプの可視部分の正面図を示す。
【図７】第２の実施形態における、ランプハウジングとモールドとを備える、本発明による組立体の分解図である。
【図７ａ】ランプハウジングと図７のモールドとが組み立てられているが互いに連結する前の斜視図である。
【図８】組み立てられた図６の組立体の正面斜視図である。
【図８ａ】組み立てられた図６の組立体の背面斜視図である。
【図８ｂ】組み立てられた図６の組立体の側面図である。
【図８ｃ】組み立てられた図６の組立体の正面図である。
【図９】図７の組立体のランプハウジング内に収容されるのに適したランプ本体の一例の分解斜視図である。
【図１０】鋳造前の型枠に固定された図７の組立体を示す断面図である。
【図１０ａ】築壁に組み込まれたランプを示す断面図である。
【図１１】図７の組立体を使用して壁にビルトインされたランプの底面図を示す。
【図１１ａ】図７の組立体を使用して壁にビルトインされたランプの正面図を示す。
【図１２】一実施形態における、図７の組立体のモールド取り外し方法の一ステップを表す。
【図１２ａ】一実施形態における、図７の組立体のモールド取り外し方法の一ステップを表す。
【図１２ｂ】一実施形態における、図７の組立体のモールド取り外し方法の一ステップを表す。
【図１２ｃ】一実施形態における、図７の組立体のモールド取り外し方法の一ステップを表す。
【図１２ｄ】一実施形態における、図７の組立体のモールド取り外し方法の一ステップを表す。
【図１２ｅ】一実施形態における、図７の組立体のモールド取り外し方法の一ステップを表す。
【図１３】本発明の実施形態のさらなる変形例を示す図１０と同様の概略図である。
【図１３ａ】本発明の実施形態のさらなる変形例を示す図１０ａと同様の概略図である。
【図１４】ランプが組み込まれている壁に対してランプの位置決めを容易にするための型枠に適用可能なテンプレートの一例を示す。
【発明を実施するための形態】
【００１２】
以下の説明では、異なる実施形態に共通の構成要素、または互いに同等の構成要素は、同じ参照番号で示される。
【００１３】
さらに、特に言及しない限り、一実施形態を参照して記載された特徴は、他の実施形態においても用いられ得る。
【００１４】
本発明の根底にあるアイデアは、セメントを流し込む際にランプを築壁（石造り壁）に組み込むことである。このような技術的解決手段を実現することができる以下に説明する装置は、セメントが流し込まれる型枠１００の内側に固定されることが実際には適切である。
【００１５】
図１〜図１２に示す実施形態では、１、１´は、築壁（石造り壁、石積み壁）に組み込まれたランプを実現するための本発明による組立体を全体として示す。組立体１、１´の一部が、セメント内に組み込まれたままでランプ本体のハウジングとして機能する一方で、別の部分は、セメント内にランプの外形を作り出すように機能し（すなわち露出して見え）、型枠１００を取り外した後に取り外される。
【００１６】
図１〜図１２に示される一般的な実施形態では、組立体１、１´は、ランプハウジング３０とモールド５０とを備える。
【００１７】
ランプハウジング３０は、ランプ本体１０を収容するのに適したランプ座部３２を画定する。ランプハウジング３０は、築壁に組み込むのに適するように構成されると共に、それに適した材料で作られている。
【００１８】
ランプハウジング３０は、ランプ本体１０によって生成される光線の放射窓３４を画定する。
【００１９】
モールド５０は、放射窓３４を画定するこのハウジング側でランプハウジング３０に取り外し可能に固定されるのに適している。
【００２０】
モールド５０は、前開口部５２を画定し、すなわち壁の外面に面しており、型枠１００の内側と接触して配置されるのに適した前縁部５４によって画定される。モールド５０の機能は、放射窓３４から延出し、かつ築壁の外面上に開口する発光空洞２を凝固したセメント中に作り出すことである。言い換えれば、この空洞２は、ランプの外形、すなわち、露出して見えるランプの前部を画定する。
【００２１】
一実施形態では、前縁部５４は、垂直正面にあり、すなわち型枠１００に平行である。
【００２２】
一実施形態では、前縁部５４は長方形の周囲を有する。
【００２３】
モールド５０は、セメントを流し込む前および流し込む間にランプハウジング３０を強固に支持するのに適している。言い換えれば、ランプハウジング３０は、セメントを流し込む間、所望の設置位置に留まるように、セメント内に組み込まれる前にモールド５０にしっかりと固定される。
【００２４】
一実施形態では、モールド５０は、モールド５０の前開口部５２を通してアクセス可能なモールド締結ねじ５６によって、ランプハウジング３０に接続可能である。
【００２５】
図７〜図１２に示す一実施形態では、モールド締結ねじ５６はランプハウジング３０に直接ねじ込まれる。
【００２６】
より詳細には、一実施形態では、各締結ねじ５６のためにモールド５０にねじガイドが形成される。このねじガイドは、モールド締結ねじ５６の外ねじの直径よりも小さい直径の入口穴を有する。各モールド締結ねじ５６は、ねじガイドから遠位に突出し、かつランプハウジング３０に形成されたねじ座部にねじ込まれる不完全ねじ部を有する。
【００２７】
この実施形態は、モールド５０の取り外し時に、ねじ５６を緩め、ランプハウジング３０のシーリングねじ部を乗り越えることによって、ねじ５６がねじガイドに、ひいてはモールド５０に結合されたままであることを可能にする。
【００２８】
一実施形態では、ねじがモールド５０に係留されていることにより、図１２〜図１２ｅを参照して以下に記載されるモールド取り外し方法を使用してモールド５０を取り外すことが可能になる。
【００２９】
モールド５０には、モールドを型枠１００の内側に取り外し可能に固定するのに適したモールド締結手段が設けられている。
【００３０】
一実施形態では、モールド固定手段は、一端がモールド５０に固定されたねじ付きタイロッド５８を含む。ねじ付きタイロッド５８は、型枠１００の厚さを通過するのに十分な長さを有する。反対側の端部で、各ねじ付きタイロッド５８には、型枠１００の外側に対して締め付けられるのに適した、例えばノブ６０に埋め込まれたねじ付きナット５９がねじ込まれ、モールド５０を型枠１００に対して牽引する。
【００３１】
一実施形態では、モールド５０は、ランプハウジング３０が載置される水平面５０´、すなわち、型枠１００に対して垂直である面を規定する。
【００３２】
さらに、一実施形態では、水平面５０´の後縁部を前縁部５４の下側に接続するモールド５０の後部および下部は、傾斜壁５５によって画定されている。
【００３３】
言い換えれば、モールド５０は、三角形の底面を有する平行六面体の形状を有し、正面には前縁部５４があり、水平面５０´は互いに直交している。
【００３４】
さらに、一実施形態では、ランプハウジング３０は、型枠１００に対する傾斜壁５５の傾斜と実質的に等しい傾斜で、モールド５０の水平側５０´から後方に延在する。
【００３５】
言い換えれば、ランプハウジング３０は、ランプハウジング３０がモールド５０に接続されたときにモールド５０の傾斜壁５５と整列して連続する、傾斜壁３１によって後方に画定される。
【００３６】
さらに、一実施形態では、モールド５０の水平面５０´から、ランプハウジング３０のランプ座部３２に形状連結によって（形状が一致することによって）少なくとも部分的に挿入されるのに適したガイド突起５１が延在する。
【００３７】
したがって、上記組立体１、１´の幾何学的形状のおかげで、一旦モールド５０が型枠１００の内側に対してタイロッド５８によって牽引されて配置され、ランプハウジング３０が例えばねじ５６によってモールド５０と一体化されると、流し込みの間にランプハウジング３０上に荷重されるセメント重量は、組立体１、１´をさらに安定させ型枠１００と一体化させることに寄与する。
【００３８】
したがって、好都合なことに、流し込みの間に組立体を安定化させるための追加のシステム、特にランプハウジングを型枠に接続するブラケットを用いる必要がないという利点がある。
【００３９】
一実施形態では、組立体１、１´はランプハウジング３０内に収容されるのに適したランプ本体１０も含む。
【００４０】
一実施形態では、ランプ本体１０は、例えばＬＥＤタイプの少なくとも１つの照明源を備える。
【００４１】
一実施形態では、ランプ本体１０は、電子プリント回路カードに取り付けられたＬＥＤ照明源の１つ以上の列を備える。
【００４２】
一実施形態では、ランプ本体１０は、照明源に加えて、照明源の電気制御回路および／または電子制御回路、電源１３、ならびに電力ケーブルおよび／または制御ケーブルへの電気接続のための電気コネクタを備える。例えば、電気回路または電子回路は、１つ以上の照明源が取り付けられた電子プリント回路カード１０´を備える。
【００４３】
ランプ本体１０はまた、照明源によって生成された光線を制御する光学素子を含むことができる。
【００４４】
一実施形態では、ランプ本体１０には、照明源によって生成された熱の放熱手段、例えば光線放射側に対して反対側に形成された複数のフィン１２も設けられている。
【００４５】
好ましくは、ランプ本体１０は、光線を放射する側に、放射窓３４の幅を占めるようなサイズを有する。
【００４６】
一実施形態では、ランプ本体１０、放射窓３４およびモールド５０は、発光空洞５２および放射窓３４を通ってランプ座部１０にランプ本体を挿入できるように、大きさ（寸法）が決められている。
【００４７】
図１〜図５に示す実施形態では、ランプ本体１０は、それぞれケージナット１６にねじ込まれる本体締結ねじ１４によって、ランプハウジング３０に接続可能である。ケージナット１６は、例えば、放射窓３４の反対側のランプハウジング３０上に位置付けられる。
【００４８】
図７〜図１２に示す実施形態の一変形例では、ランプ本体１０は、スナップ連結システムによってランプハウジング３０に接続可能である。例えば、ランプハウジング３０の壁は、ランプ本体１０に形成された対応する弾性タング１１と係合するアンダーカット３０´を形成する。
【００４９】
一実施形態では、ランプハウジング３０およびモールド５０は、築壁を正面から見ると（正面視すると）放射窓３４が視界から少なくとも部分的に隠れるように構成される。
【００５０】
図５および図５ａに示す一実施形態では、モールド５０の前縁部５４には、モールド５０が型枠１００の内側に対して牽引されて配置されるときに型枠１００の内側を切り欠くのに適した型枠外周切開歯５４´が設けられている。
【００５１】
同様に、モールドの上部水平面５０´に載置するのに適したランプハウジング３０の下縁部には、ランプハウジング３０がモールド５０に対して牽引されて配置されるときに、その上面５０´を切り欠くのに適した型枠外周切開歯３０１が設けられている。
【００５２】
両方の場合において、切開歯５４´、３０１の目的は、それぞれの支持面を切り欠いて、部品の連結を改善し、流し込み中における水に対する絶縁を改善することである。
【００５３】
このような解決手段は、空洞２のセメント特性の定義を改善することを可能にする。
【００５４】
図７〜図１３に示す一実施形態では、ランプハウジング３０およびモールド５０は、好ましくはアルミニウム製の、例えば押出プロセスによって得られる成形体である。これらの形材は、このような形材の開放側端部の側部閉鎖プラグ３０´´、５０´´を有する。
【００５５】
図面に示される一実施形態では、ランプハウジングの側部閉鎖プラグ３０´´の１つには穴が横切り、穴には、ランプ本体１０の電気コネクタに接続される電気ケーブルを担持するコルゲートチューブへの接続用にケーブルグランドが取り付けられる。
【００５６】
このようにして、特に薄く細長い形状のランプを実現することが可能であり、その長さは、出発した押出形材を所望のサイズに切断することによって任意に選択することもできる。
【００５７】
一実施形態では、ランプ本体１０は、側部プラグ１０ｂによって閉鎖される、好ましくはアルミニウム製の形材１０ａも含む。
【００５８】
一実施形態では、ランプハウジングは、その外面に、例えばバブル装置（バルブ水準器）７０などの傾斜検出装置用の水平支持面３８を形成する。
【００５９】
築壁にランプを組み込む方法は、上記組立体１、１´を以下のようにして用いられる。
【００６０】
モールド５０は、例えばモールド締結ねじ５６をねじ込むことによって、ランプハウジング３０に接続される。
【００６１】
セメントを流し込む前に、ランプハウジング３０を担持するモールド５０は、例えばねじ付きタイロッド５８を締め付けることによって型枠１００の内側に固定される（図４および図１０）。
【００６２】
一実施形態では、その後の取り外しを容易にするために、離型剤をモールド５０上に広げることができる。
【００６３】
一実施形態では、ランプハウジング３０は、電気ケーブルを担持するコルゲートチューブに接続される。
【００６４】
この時点で、セメントを流し込むことが可能である。
【００６５】
セメントが硬化した後、型枠１を取り外すことができる。例えば、型枠を取り外すためには、ねじ付きタイロッド５８からナット５９を外すことがまず必要である（図４ａ）。
【００６６】
次に、モールド５０は、例えばモールド締結ねじ５６を外すことによって、ランプハウジング３０から取り外すことができる（図４ｂ）。
【００６７】
図１２〜図１２ｅは、一実施形態においてモールド５０を取り外すための一連の動作を示す。
【００６８】
特に、図１２〜図１２ｃは、ランプハウジング３０からモールド締結ねじ５６を緩めることを示す。図示されているように、各ねじはモールド５０のそれぞれのねじガイドに結合されたままであるため、モールド締結ねじ５６は組立体１´から完全には取り外されない。モールド５０の抜き取り軸がねじ５６の軸と一致しているため、モールド５０に結合されたままであるがもはやランプハウジング３０に結合されていない締結ねじ５６によって、モールド５０自体を容易に取り外すことができる。したがって、締結ねじ５６は、モールド５０をセメントから分離するのに必要な力の印加点として使用される。
【００６９】
例えば、１つ以上の締結ねじ５６を使用し、ハンマー等で打つことによってモールド５０を築壁内の座部から取り外す。例えば、図１２ｄに示すように、締結ねじ５６をプライヤの顎部同士間に把持し、プライヤをハンマー等で打つ。
【００７０】
図１２ｅは、モールド５０がその座部から完全に取り外された状態を示す。
【００７１】
この時点で、例えば本体締結ねじ１４をケージナット１６にねじ込むことによって（図４ｃ）、またはスナップ連結を使用することによって（図１０ａ）、ランプ本体１０をランプ座部３２の内部に挿入することが可能である。
【００７２】
ねじ付きタイロッド５８を使用してモールド５０を型枠１００の内側に固定する場合には、最初に型枠１に貫通孔５８´を穿孔することが必要である。ねじ付きタイロッド５８をこれらの貫通孔５８´に通し、型枠１００の外側から突出した各ねじ付きタイロッドの端部にナット５９をねじ込む。
【００７３】
一実施形態では、型枠１００の穿孔を容易にするために、テンプレート８０（図１４）、例えば貫通孔５８´の位置の表示８２を備えた接着シートが型枠の外側に当てる。
【００７４】
一実施形態では、テンプレート８０は、貫通孔５８´の位置の表示８２に加えて、モールド５０の前縁部５４の輪郭８４も有しているため、特に壁内に複数のランプを設置する場合、セメントを流し込む前に、ランプの位置決め（床からの高さ、ランプ同士間の距離など）を確認することが可能である。
【００７５】
加えて、流し込み前にモールド―ランプ・ハウジング組立体の正確な設置をさらに確認するため、ランプハウジング３０の水平面３８上に傾斜検出装置７０を配置することが可能である。
【００７６】
図６および図６ａ、図１１および図１１ａは、上記築壁内におけるランプ設置方法の結果を示す。
【００７７】
ランプ全体の壁を前面から観察する（見ると）と、ライト５２の放射空洞のみが見える。言い換えれば、ランプのスイッチを入れると、壁から光が出てくるのが見えるが、フレーム、締結要素などのようなランプの構造的要素は見えない。
【００７８】
図１３および図１３ａは、本発明の実施形態の一変形例を示しており、モールドは、築壁内にランプ本体１０を収容する座部を形成するためにも使用される。言い換えれば、この実施形態では、ランプハウジングはモールドと一体に作られているため、一旦モールドが取り外されると、ランプ本体１０は築壁に直接係留されている。
【００７９】
図１３および図１３ａに符号５００で示されているモールドは、型枠１００の内側に接触するように配置されるのに適した前縁部５４０で終端する前部５０２を備える。前縁部５４０は、前面発光開口部５２０を画定する。
【００８０】
前部５０２からは、ランプ本体１０を収容するのに適した築壁内のランプ座部５３２を実現するのに適した後部５０４が延在する。
【００８１】
モールド５００には、モールド５００を型枠１００の内側に取り外し可能に固定するのに適したモールド締結手段が設けられている。
【００８２】
より詳細には、前部５０２は、型枠内にセメントが鋳込まれた後、ランプ座部５３２から延在し、かつ築壁の外面上に開口する発光空洞５０２を形成する。
【００８３】
一実施形態では、後部５０４は、ランプ本体１０がランプ座部５３２内に挿入されるとき、築壁を正面から観察すると（正面視すると）ランプ本体１０が視界から少なくとも部分的に隠れるように、前部５０２から延出する。
【００８４】
一実施形態では、モールド固定手段は、一端がモールド５００に固定されたねじ付きタイロッド５８０を備える。各ねじ付きタイロッド５８０は型枠１００を通過し、型枠１００の外側に作用するナット５９０によってモールド５００の反対側の端部に係合される。
【００８５】
一実施形態では、後部は、築壁内においてランプ本体５１０の係留手段を実現するのに適している。
【００８６】
例えば、係留手段は、ねじ付きタイロッド５５２を受けるのに適したねじ付き座部を備える。
【００８７】
実施形態の一変形例では、係留手段は、ランプ本体１０とのスナップ連結を実現するのに適している。
【００８８】
上記組立体のように、一実施形態では、モールド５００は、例えば押出プロセスによって得られる、好ましくはアルミニウム製またはプラスチック製の成形されたモールド成形体と、モールド本体の開放側端部の一対の閉鎖側部プラグとを備える。
【００８９】
一実施形態では、モールド５００は、例えば側部プラグの１つによって、ランプ本体１０に接続される電気ケーブルを担持するコルゲートチューブに接続するのに適している。
【００９０】
この実施形態では、ランプを築壁内に組み込む方法は、以下のステップを含む。
【００９１】
型枠１００にセメントを流し込む前に、型枠の内側に型枠５００を固定する。
【００９２】
次に、離型剤をモールド５００に広げるステップを提供することができる。
【００９３】
一実施形態では、モールド５００は、コルゲートチューブに接続される。
【００９４】
この時点で、セメントを流し込むことが可能である。
【００９５】
セメントが硬化した後、型枠を取り外す。
【００９６】
次に、モールド５００を築壁から抜き取る。
【００９７】
この時点で、モールドの後部が壁内に実現したランプ座部に、ランプ本体１０を係留することができる。
【００９８】
一実施形態では、型枠へのモールド５００の固定は、型枠に貫通孔を開けるステップと、モールド５００に一体化されたねじ付きタイロッド５８０を貫通孔に通すステップと、型枠の外側から突出する各ねじ付きタイロッドの末端部にナット５９０をねじ込むステップとを備える。
【００９９】
一実施形態では、モールド５００を型枠１００に締結する作業は、型枠内に開ける貫通孔の位置の表示を示すテンプレートを型枠の外側に位置付けることによって容易になる。
【０１００】
本発明による築壁内にランプを組み込む組立体および方法の実施形態に対して、当該技術分野における技術者は、起り得る要求を満たすために、以下の特許請求の範囲から逸脱することなく改変、改造および機能的に同等の他の部材による部材の代替を行うことができる。実施形態の可能な形態に属するとして説明されたそれぞれの特性は、説明された他の実施形態とは独立して達成され得る。
【図１】
2019503029.tif 000003
【図２】
2019503029.tif 000004
【図２ａ】
2019503029.tif 000005
【図２ｂ】
2019503029.tif 000006
【図２ｃ】
2019503029.tif 000007
【図３】
2019503029.tif 000008
【図４】
2019503029.tif 000009
【図４ａ】
2019503029.tif 000010
【図４ｂ】
2019503029.tif 000011
【図４ｃ】
2019503029.tif 000012
【図５】
2019503029.tif 000013
【図５ａ】
2019503029.tif 000014
【図６】
2019503029.tif 000015
【図６ａ】
2019503029.tif 000016
【図７】
2019503029.tif 000017
【図７ａ】
2019503029.tif 000018
【図８】
2019503029.tif 000019
【図８ａ】
2019503029.tif 000020
【図８ｂ】
2019503029.tif 000021
【図８ｃ】
2019503029.tif 000022
【図９】
2019503029.tif 000023
【図１０】
2019503029.tif 000024
【図１０ａ】
2019503029.tif 000025
【図１１】
2019503029.tif 000026
【図１１ａ】
2019503029.tif 000027
【図１２】
2019503029.tif 000028
【図１２ａ】
2019503029.tif 000029
【図１２ｂ】
2019503029.tif 000030
【図１２ｃ】
2019503029.tif 000031
【図１２ｄ】
2019503029.tif 000032
【図１２ｅ】
2019503029.tif 000033
【図１３】
2019503029.tif 000034
【図１３ａ】
2019503029.tif 000035
【図１４】
2019503029.tif 000036
【国際調査報告】
2019503029.tif 000037
2019503029.tif 000038
2019503029.tif 000039